(57)【要約】【課題】  アンテナ間の距離が小さい場合でも、アンテナ間のアイソレーションを高く保つことができる無線機装置を提供する。【解決手段】  第１の周波数で共振するアンテナ１１を備えた第１の無線機と、第２の周波数で共振するアンテナ１８を備えた第２の無線機１４とを同一の筐体内に収容するとともに、第１の無線機の送信出力を第２の無線機の送信出力よりも大きくしてある無線機装置において、第２の無線機１４のアンテナ１８の付近に、第１の周波数の１／４波長の長さを有する導体１７を配置し、この導体１７の一端を設置してある。【選択図】  図１
2005167821.tif 000002
【特許請求の範囲】
【請求項１】
使用周波数の異なる複数の無線機を同一の筐体内に収容してなる無線機装置において、少なくても一つの無線機のアンテナの付近に、他の無線機の使用周波数で共振する導体を配置したことを特徴とする無線機装置。
【請求項２】
上記少なくても一つの無線機を上記他の無線機に対して着脱自在に構成するとともに、上記導体を略短冊形に形成して上記少なくても一つの無線機のアンテナに近接配置したことを特徴とする請求項１に記載の無線機装置。
【請求項３】
上記導体を他の無線機の使用周波数の概略１／４波長の長さにしてその一端を接地したことを特徴とする請求項１または請求項２に記載の無線機装置。
【請求項４】
上記導体を他の無線機の使用周波数の概略１／２波長の長さにしてその両端を開放したことを特徴とする請求項１または請求項２に記載の無線機装置。
【請求項５】
上記他の無線機をシールドケース内に収容するとともに、該シールドケースに上記導体を一体成形したことを特徴とする請求項１ないし請求項３のいずれかに記載の無線機装置。
【請求項６】
上記導体を屈曲成形したことを特徴とする請求項１ないし請求項５のいずれかに記載の無線機装置。
【発明の詳細な説明】
【技術分野】
【０００１】
本発明は、無線通信で使用される無線機装置に関する。
【背景技術】
【０００２】
近年の無線通信では、異なるシステムの間においても、非常に近接した周波数を使用する場合が多くなっている。特に、ＩＳＭ帯などの、免許の不要な周波数帯域に関しては多くのシステムが混在しており、電波の干渉のみでなく、同一または異なるシステムの間において、アンテナ間のアイソレーションをいかに確保するかがシステム構築上の重要課題となっている。
【０００３】
図５はこの種の無線通信装置の一例を示している。
同図において、５２はシールドケースで、その内部には第１の無線機の回路部を収納してある。この無線機は、セルラー等の基地局との通信を行う高出力のもので、第１の周波数で共振する第１のアンテナ５１をシールドケース５２に設置してある。シールドケース５２には第２の無線機を取り付けてある。第２の無線機は、無線ＬＡＮ等の構内無線機として使用される比較的低出力のもので、第２の周波数で共振する第２のアンテナ（図示せず）を備えている。
【０００４】
第１の無線機を動作させると、第１のアンテナ５１の影響よって、シールドケース５２には、第１のアンテナ５１から周囲に広がって電流５５が流れる。また、第２の無線機の５４のアンテナの影響により電流５６が流れる。これらの電流５５，５６が互いに結びつきアンテナ間の結合を強め、アイソレーションが劣化することになる。図６はこの場合のアイソレーション特性を示す図で、第１の無線機の周波数帯域６１と第２の無線機の周波数帯域６２との間でアイソレーションが悪いことを示している。このため、両方の無線機を同時に使用した場合、第１のアンテナ５１から放射された電波が第２の無線機５４のアンテナから第２の無線機５４のＲＦ回路に入り込み、アンプ等を飽和させてしまい、第２の無線機５４による通信ができなくなる。
【発明の開示】
【発明が解決しようとする課題】
【０００５】
この種の無線機では、特に使用周波数が近接する場合、アンテナ間の結合が大変重要な問題となってくる。従来は、アンテナ間の距離を大きくするか、離れた周波数を使用するシステムを利用することによって、アンテナ間の結合を小さくしていた。しかし、近年では無線機の小型化にともなって、アンテナ間の距離を十分取れなくなってきている。それと同時にシステムの多様化が進み、近接した周波数を同時に使用せざるを得ない状況が増えてきている。特に、第１の無線機がセルラー通信等に使用される比較的高出力のもので、第２の無線機が無線ＬＡＮ等の構内通信に使用される比較的低出力のものである場合に、このような問題が顕著に現れる。
【０００６】
本発明はかかる点に鑑みてなされたものであり、その目的は、近接する周波数を使用し、アンテナ間の距離が十分確保できていない場合においても、アンテナ間のアイソレーションを高めて快適な通信を行うことができる無線機装置を提供することにある。
【課題を解決するための手段】
【０００７】
上記課題を解決するための本発明は、使用周波数の異なる複数の無線機を同一の筐体内に収容してなる無線機装置において、少なくても一つの無線機のアンテナの付近に、他の無線機の使用周波数で共振する導体を配置したことを特徴とする。
【０００８】
かかる構成によれば、一の無線機から他の無線機に向かって流れる他の無線機の周波数成分の電流は、一の無線機のアンテナ付近に配置された導体上を流れる。このため、他のの無線機に向かって流れる電流が少なくなる。つまり、両アンテナの影響による電流同士の結びつきが弱まり、両アンテナ間のアイソレーションが向上する。
【０００９】
上記少なくても一つの無線機を上記他の無線機に対して着脱自在に構成するとともに、上記導体を略短冊形に形成して上記少なくても一つの無線機のアンテナに近接配置するのが好ましい。
このようにすると、導体に流れる電流の値が最大になり、両アンテナ間のアイソレーションが最も良くなる。
【００１０】
上記導体を他の無線機の使用周波数の概略１／４波長の長さにしてその一端を接地するのが好ましい。
このようにすると、導体は他の無線機の使用周波数で共振して、この周波数の電流をよく導くため、一の無線機から他の無線機に向かって流れる他の無線機の使用周波数の電流が大幅に減少し、一の無線機の周波数帯において両アンテナ間のアイソレーションを向上させることができる。
【００１１】
上記導体を他の無線機の使用周波数の概略１／２波長の長さにしてその両端を開放するのが好ましい。
このようにすると、一端を接地するものに較べて、導体の長さが大きくなる。しかし、導体は接地の必要がなくなるので、設置が容易になる。
【００１２】
上記他の無線機をシールドケース内に収容するとともに、該シールドケースに上記導体を一体成形するのが好ましい。
このようにすると、導体とシールドケースを同時に成形することができ、コスト的にも有利になる。
【００１３】
上記導体は屈曲成形するのが好ましい。
このようにすると、導体の嵩張りが少なくなり、筐体のコンパクト化に有利になる。
【発明の効果】
【００１４】
以上のように本発明の無線機装置は、第２の無線機のアンテナの付近に導体を配置し、この導体に第１の周波数の共振電流を流すことで、第１及び第２の無線機のアンテナ間のアイソレーションを向上させている。これによって、２つの無線機を近接する周波数で同時に使用した場合においても、アンテナ特性を劣化させることなく、無線機間の干渉等による通信品質の劣化を防止し、快適な通信を行うことができる。特に、第１の無線機がセルラー通信等に使用される比較的高出力のもので、近接する無線システムに影響を及ぼしやすい場合であっても、第２の無線機による通信を妨げることなく、両システム共に良好な通信品質を確保することが可能となる。
【発明を実施するための最良の形態】
【００１５】
以下、本発明の実施の形態について、添付図面を参照して詳細に説明する。
（実施の形態１）
図１は、本発明の実施の形態に係る無線機装置を示す図である。
この無線機装置は、第１の周波数で共振するアンテナ１１を備えた第１の無線機（図示せず）と、第２の周波数で共振するアンテナ１８を備えた第２の無線機１４とを同一の筐体（図示せず）内に収容したものである。第１の無線機は、セルラー等の基地局との通に使用される比較的高出力なものである。第２の無線機は、無線ＬＡＮ等の構内無線機として使用される比較的低出力のものである。これら無線機で使用する第１及び第２の周波数は接近している。
【００１６】
第１の無線機をシールドケース１２内に収容することで、不要な電波が外部へ放射されるのを防止している。第１の無線機のアンテナはシールドケース１２の上面に立設してある。第２の無線機１４は、その本体部１５をシールドケース１２に着脱自在に装着してレドーム１３で覆ってある。図１(ｂ)は図１(ａ)のレドーム１３を取り外した状態を示している。
【００１７】
第２の無線機１４のアンテナ１８の付近には導体１７を配置してある。この導体１７は、第１の周波数の概略１／４波長の長さを有し、シールドケース１２の側面から略水平に突出するようにしてシールドケース１２と一体に成形してある。
【００１８】
第１の無線機を動作させると、第１の無線機のアンテナ１１の影響により、シールドケース１２には、第１のアンテナ５１から周囲に広がって電流１５が流れる。また、第２の無線機１４のアンテナ１８の影響により電流１６が流れる。ところで、第２の導体１７は第１の周波数の１／４波長の長さを有し、その一端が接地されているので、電流１６は導体１７側に多く流れる。
【００１９】
つまり、導体１７に第１の周波数の共振電流が流れるため、第２の無線機１４の周囲に拡散して流れている電流１６が減少し、２つの電流１５，１６の結びつきが弱まり、アンテナ１１，１８の間のアイソレーションが向上する。電流１６が減少するということは、換言すれば、接地導体を含めてアンテナとして考えた場合、２つのアンテナ１１，１８が離れることと等価であり、アンテナ１１，１８間のアイソレーションが向上することを意味するのである。図２はこの場合のアイソレーション特性を示す図で、第１の無線機の周波数帯域２１と第２の無線機の周波数帯域２２との間でアイソレーションが向上していることを示している。
【００２０】
なお、この実施形態では、第１の無線機の送信出力を２の無線機１４の送信出力に較べて相当大きくしてあるので、第２の無線機１４のアンテナ１４の付近に導体１７を配置してあるが、両無線機の送信出力の大きさによっては、両方の無線機またはいずれか一方の無線機のアンテナの付近に、他の無線機の使用周波数で共振する導体を設置してもよい。さらに、無線機の台数が３以上の場合には、アンテナ間のアイソレーションの劣化が懸念される無線機について、同様の対策を施せばよい。
【００２１】
（実施の形態２）
図３は本発明の実施の形態２に係る無線機装置を示す図で、図１(ｂ)と対応する図である。
【００２２】
この無線機装置では、図１の導体１７をＬ字型に形成し、その先端を第２の無線機１４のアンテナ１８側に向けて配置した導体３１を用いている。この導体３１も、第１の周波数の１／４波長の長さを有している。その他の構成は実施の形態１と同様であるので、説明を省略する。なお、導体３１の形状は、Ｌ字型ではなくて、階段状や曲線状に屈曲したものであってもよい。
【００２３】
このような導体３１を用いると、実施の形態１の効果に加えて、シールドケース１２の側面からの導体３１の突出量が小さくなり、筐体のコンパクト化に役立つ。
【００２４】
（実施の形態３）
図４は本発明の実施の形態３に係る携帯無線機を示す図で、図３と対応する図である。
【００２５】
この無線機装置では、第１の周波数の１／２波長の長さの導体４１を用いてある。この導体４１は、その両端を開放し、第２の無線機１４の本体部１５に沿って近接配置するように筐体（図示せず）の内面に貼り付けられている。なお、その他の構成は実施の形態１と同様であるので、説明を省略する。
【００２６】
このような導体４１を用いると、実施の形態１の効果に加えて、導体４１の接地の必要がなくなり、筐体に対する導体４１の取り付けが容易になる。また、導体４１を第２の無線機１４の本体部１５に沿って近接配置してあるので、筐体のコンパクト化にも役立つ。
【図面の簡単な説明】
【００２７】
【図１】本発明の実施の形態１に係る無線機装置を示す図である。
【図２】同無線機装置のアイソレーション特性を示す図である。
【図３】本発明の実施の形態２に係る導体の設置状態を示す図である。
【図４】本発明の実施の形態３に係る導体の設置状態を示す図である。
【図５】従来の無線機装置を示す図である。
【図６】従来の無線機装置のアイソレーション特性を示す図である。
【符号の説明】
【００２８】
１１、５１  第１の無線機のアンテナ
１２、５２  シールドケース
１３  レドーム
１４、５４  第２の無線機
１５、５５  電流
１６、５６  電流
１７、３１、４１  導体
１８  第２の無線機のアンテナ
２１、６１  第１の周波数帯域
２２、６２  第２の周波数帯域
【図１】
2005167821.tif 000003
【図２】
2005167821.tif 000004
【図３】
2005167821.tif 000005
【図４】
2005167821.tif 000006
【図５】
2005167821.tif 000007
【図６】
2005167821.tif 000008